(57)【要約】【課題】組み立て効率を向上できる照明装置の製造方法の提供【解決手段】照明装置の製造方法は、展開状態に保持され、一部切り欠いた円環状の屈曲可能なプリント配線基板２に複数の発光体３を実装させる工程と、プリント配線基板２の両端部を相互に当接させて切頭円錐状とする工程と、プリント配線基板２の両端部の短手方向に、この基板２より突出して設けられた耳部５１と耳部５２とを相互に固定させることによりプリント配線基板２の切頭円錐状を維持させる工程と、プリント配線基板２の両端部を相互に固定させる工程と、プリント配線基板２から耳部５１，５２を切除する工程と、を含む。【選択図】図３
2018137052.tif 000002
【特許請求の範囲】
【請求項１】
展開状態に保持され、一部切り欠いた円環状の屈曲可能なプリント配線基板に複数の発光体を実装させる工程と、
前記プリント配線基板の両端部を相互に当接させて切頭円錐状とする工程と、
前記プリント配線基板の一端部の短手方向に、この基板より突出して設けられた第１耳部と、前記プリント配線基板の他端部の短手方向に、この基板より突出して設けられた第２耳部と、を相互に固定させることにより、前記プリント配線基板の切頭円錐状を維持させる工程と、
前記プリント配線基板の前記一端部と前記他端部とを相互に固定させる工程と、
前記プリント配線基板から前記第１耳部及び前記第２耳部を切除する工程と、を含むことを特徴とする照明装置の製造方法。
【請求項２】
複数の円弧状基板の円弧方向端部同士を連結させて前記プリント配線基板を製造する工程を更に備え、前記複数の円弧状基板の各々には、円弧方向一端部に前記第１耳部が設けられ、円弧方向他端部に前記第２耳部が設けられ、
前記プリント配線基板を製造する工程は、何れかの円弧状基板に設けられた前記第１耳部と、他の何れかの円弧状基板に設けられた前記第２耳部と、を相互に固定させる工程と、前記何れかの円弧状基板と前記他の円弧状基板の端部同士を固定させる工程と、前記第１耳部と前記第２耳部とを切除する工程と、を含むことを特徴とする請求項１に記載の照明装置の製造方法。
【請求項３】
前記プリント配線基板と前記第１耳部及び前記プリント配線基板と前記第２耳部との間に耳部の切除容易部を形成する工程を含むことを特徴とする請求項１又は２に記載の照明装置の製造方法。
【請求項４】
前記プリント配線基板の両端面を相互に合致する波形に形成する工程を含むことを特徴とする請求項１〜３の何れかに記載の照明装置の製造方法。
【請求項５】
少なくとも一方の耳部は前記プリント配線基板の端面より円弧方向に突出しており、
切頭円錐状とする前記工程においては、前記第１耳部と前記第２耳部とを重ね合わせることを特徴とする請求項１〜４の何れかに記載の照明装置の製造方法。
【発明の詳細な説明】
【技術分野】
【０００１】
本発明は、照明装置の製造方法に関する。
【背景技術】
【０００２】
従来より、商品の表面検査において用いられる照明装置として、切頭円錐凹面に複数の発光体が配置されてなるリング状照明装置が用いられることがある。このようなリング状照明装置の製造方法としては、一部切り欠きを有する円環状の基板に発光体を植設した後に、基板の両端部を半田付けにより結合させて切頭円錐状とする方法が挙げられる。しかしながらこの方法では、一人の作業者が基板を切頭円錐状に保持したうえで他の作業者が半田付けしなければならず、作業効率が悪いという問題があった。
【０００３】
一方、特許文献１に開示の照明装置の製造方法では、基板の一方の端部と他方の端部とを、一方の端部のスルーホールに挿入された発光体のリードが他方の端部の空きスルーホールに挿入されるように重ね合わせて切頭円錐状とし、所要の通りに半田付けが行われる。この方法によれば、上記リードがストッパ作用を呈することから、基板の両端部の結合作業を一人に作業者によって行うことができ、作業効率を向上できる。
【先行技術文献】
【特許文献】
【０００４】
【特許文献１】特開第２００２−１１７７０６号公報
【発明の概要】
【発明が解決しようとする課題】
【０００５】
しかしながら、特許文献１に開示の製造方法では、発光体のリードをストッパとして作用させることから、当該リードに過度な負担がかかるという問題があった。またこの方法は、面実装されるチップ型ＬＥＤを用いる場合の様にスルーホールにリードが挿通されない照明装置には適用できなかった。
【０００６】
本発明は、組み立て効率を向上できる照明装置の製造方法の提供を目的とする。
【課題を解決するための手段】
【０００７】
本発明に係る照明装置の製造方法は、展開状態に保持され、一部切り欠いた円環状の屈曲可能なプリント配線基板に複数の発光体を実装させる工程と、前記プリント配線基板の両端部を相互に当接させて切頭円錐状とする工程と、前記プリント配線基板の一端部の短手方向に、この基板より突出して設けられた第１耳部と、前記プリント配線基板の他端部の短手方向に、この基板より突出して設けられた第２耳部と、を相互に固定させることにより、前記プリント配線基板の切頭円錐状を維持させる工程と、前記プリント配線基板の前記一端部と前記他端部とを相互に固定させる工程と、前記プリント配線基板から前記第１耳部及び前記第２耳部を切除する工程と、を含むことを特徴とする。
【０００８】
また、複数の円弧状基板の円弧方向端部同士を連結させて前記プリント配線基板を製造する工程を更に備え、前記複数の円弧状基板の各々には、円弧方向一端部に前記第１耳部が設けられ、円弧方向他端部に前記第２耳部が設けられ、前記プリント配線基板を製造する工程は、何れかの円弧状基板に設けられた前記第１耳部と、他の何れかの円弧状基板に設けられた前記第２耳部と、を相互に固定させる工程と、前記何れかの円弧状基板と前記他の円弧状基板の端部同士を固定させる工程と、前記第１耳部と前記第２耳部とを切除する工程と、を含むことを特徴とする。
【０００９】
また、前記プリント配線基板と前記第１耳部及び前記プリント配線基板と前記第２耳部との間に耳部の切除容易部を形成する工程を含むことを特徴とする。
【００１０】
また、前記プリント配線基板の両端面を相互に合致する波形に形成する工程を含むことを特徴とする。
【００１１】
更に、少なくとも一方の耳部は前記プリント配線基板の端面より円弧方向に突出しており、切頭円錐状とする前記工程においては、前記第１耳部と前記第２耳部とを重ね合わせることを特徴とする。
【発明の効果】
【００１２】
本発明の照明装置の製造方法によれば、前記プリント配線基板の両端部に設けられた耳部同士を仮止めした状態でプリント配線基板の端部同士を固定するので、一人の作業者によってプリント配線基板の端部同士の固定作業を行うことができ、作業効率を向上できる。
【図面の簡単な説明】
【００１３】
【図１】本発明の実施形態に係る照明装置の斜視図。
【図２】図１に示す照明装置の製造に用いる基板体を示す平面図。
【図３】図２に示す基板体のプリント配線基板に発光体が実装された状態を示す斜視図。
【図４】図３に示すプリント配線基板を切頭円錐状に仮止めした状態を示す図であり、（ａ）は平面図、（ｂ）は側面図、（ｃ）は斜視図、（ｄ）は（ａ）のｄ−ｄ線断面図。
【図５】図１に示す照明装置の製造に用いるプリント配線基板の変形形態を示す平面図。
【図６】本発明の変形形態に係る基板体を示す平面図。
【図７】本発明の他の変形形態に係る基板体を示す要部斜視図。
【図８】本発明の更に他の変形形態に係る基板体を示す要部斜視図。
【発明を実施するための形態】
【００１４】
以下、添付図面を参照して、本発明の実施形態に係る照明装置の製造方法について説明する。図１を参照して、本実施形態に係る照明装置１は、屈曲可能なプリント配線基板２と、プリント配線基板２の切頭円錐凹面に配置された複数の発光体３と、を備え、ハウジングＨに収容保持されている。各発光体３にはプリント配線基板２を介して電源ケーブル４から電力が供給される。
【００１５】
このような構成を有する照明装置１は、次のようにして製造される。まず、図２に示す様な基板体５を用意する。基板体５は一部切り欠きを有する円環形状を有するものであって、略Ｃ字形状を有するプリント配線基板２と、プリント配線基板２の円弧方向一端部から短手方向両側に延出する一対の耳部５１（第１耳部）と、プリント配線基板２の円弧方向他端部から短手方向両側に延出する一対の耳部５２（第２耳部）と、を有する。次に、プリント配線基板２と各耳部５１，５２との間にミシン目（切除容易部）５３を設ける。また、プリント配線基板２の円弧方向両端部にはそれぞれ一対の貫通孔５４が形成されている。
【００１６】
そして、基板体５を平面状態に保持した上で、図３に示す様に基板体５のプリント配線基板２に発光体３を所要の通りに実装させる。なお、図３に示す例では発光体３として砲弾型のＬＥＤを用いているが、添付図においてＬＥＤのリード線を挿通させるために基板体５に設けられるスルーホールの図示は省略している。
【００１７】
次に、図４に示す様に基板体５の円弧方向両端面５ａ同士を当該円弧方向に当接させて切頭円錐状にし、相互に当接する耳部５１，５２同士をホチキスにより仮止めして固定させる。これにより、基板体５（プリント配線基板２）は切頭円錐状に保持される。なお、図４では発光体３の図示を省略している。
【００１８】
次に、この状態でプリント配線基板２の端部同士を半田付け等によって固定する。この固定は、例えば図４に示す様に、プリント配線基板２の一方の端部に設けられた貫通孔５４と他方の端部に設けられた貫通孔５４の双方にコの字ピンＰを挿通し、これを半田付けすることにより行われる。その後、ミシン目５３に沿って耳部５１，５２をプリント配線基板２から切り離すことにより、照明装置１が出来上がる。
【００１９】
このような照明装置１の製造方法においては、耳部５１と耳部５２のホチキス止めを一人の作業者で行うことができる。また、ホチキス止めされた基板体５においては、プリント配線基板２はホチキス針Ｓにより切頭円錐状に保持されているので、プリント配線基板２の端部同士の半田付けによる固定も一人の作業者で行うことができ、作業効率を向上できる。
【００２０】
また、上述した従来の製造方法と異なり、スルーホールに挿通した発光体のリードをストッパとして利用する必要がないので、リードに過度な負担がかかることもない。更に、必ずしもスルーホールを必要としないため、プリント配線基板２に面実装されるチップ型ＬＥＤ等をも発光体３として利用することができる。
【００２１】
なお、耳部同士の固定はホチキス針Ｓに限定されず他の固定手段を用いることも可能である。
【００２２】
以上、本発明の実施形態に係る照明装置の製造方法について添付の図面を参照して説明したが、本発明はかかる実施形態に限定されず、本発明の範囲を逸脱することなく種々の変形、修正が可能である。
【００２３】
例えば、上記実施形態においては、一体に形成されたプリント配線基板２を用いたが、プリント配線基板２は複数の円弧状の基板を繋ぎ合わせて形成されたものであっても良く、この場合には円弧状の基板同士の繋ぎ合わせにおいても上述したのと同様に耳部同士をホチキス止めした状態で半田付を行うことができる。
【００２４】
より具体的に、図５に示す一対の円弧状基板１０２にはそれぞれ、円弧方向における一端部に上述した耳部５１が設けられ、他端部に上述した耳部５２が設けられている。そして、一方の円弧状基板１０２の耳部５１と他方の円弧状基板１０２の耳部５２とをホチキスを用いて繋ぎ合わせ、この状態で一対の円弧状基板１０２の端部同士を半田付等により固定させる。その後、ホチキス止めされた耳部５１，５２をミシン目に沿って切除することによって、上述したような略Ｃ字形状のプリント配線基板２を有する基板体５が出来上がる。
【００２５】
また、上記実施形態においては、プリント配線基板２の円弧方向両端面を直線状としたが、図６に示す様にプリント配線基板２の両端面２ａを相互に合致する波形に形成して良い。このように端面２ａを波形とすることにより、プリント配線基板２を切頭円錐状にする際に両端面２ａ同士の短手方向における位置決めを容易にできる。
【００２６】
また、上記実施形態においては、切除容易部としてミシン目５３を用いたが、切除容易部はミシン目５３に限定されず、例えば図７に示す様なＶ字切り込み５５を用いることもできる。
【００２７】
更に、図８に示す様に耳部５２をプリント配線基板２の端面２ａよりも円弧方向に突出させ、耳部５１が基板体５の厚み方向においてプリント配線基板２に対して段差を有するように耳部５１に変形加工を施すことで、基板体５を切頭円錐状にする際に耳部５１と耳部５２とが厚み方向に重なるようにしても良い。このように耳部５１，５２同士を重ねることにより、プリント配線基板２を切頭円錐状にする際に両端面２ａ同士の厚み方向における位置決めを容易にできる。なお、図８の例では耳部５２のみが円弧方向に突出しているが、耳部５２に加えて耳部５１も円弧方向に突出させても良く、即ち耳部５１，５２の少なくとも何れか一方が突出していれば良い。
【符号の説明】
【００２８】
１  照明装置
２  プリント配線基板
３  発光体
５１  耳部（第１耳部）
５２  耳部（第２耳部）
Ｓ  ホチキス針
Ｐ  コの字ピン
【図１】
2018137052.tif 000003
【図２】
2018137052.tif 000004
【図３】
2018137052.tif 000005
【図４】
2018137052.tif 000006
【図５】
2018137052.tif 000007
【図６】
2018137052.tif 000008
【図７】
2018137052.tif 000009
【図８】
2018137052.tif 000010